(57)【要約】  セルの隣接セル配置情報を自動的に検出して取得し、ＮＥの管轄領域、ＥＭＳの管轄領域及びＥＭＳ間の領域での隣接関係の自動管理を実現し、レイヤ毎に処理する方法によって、メッセージのやり取り及び伝送コストが低く、ボトルネックを有効に避けることができ、特に、ネットワークの負荷が重い時に、ネットワーク全体の処理能力を充分に掘り出すことができ、処理効率を向上する一方、リアルタイム性に優れているセル間隣接関係管理方法及びその装置を提供する。  該方法は、現在セルの隣接セル配置情報をリアルタイムで取得し、予め配置した又はデフォルト配置した所定のＮＭＳ、ＥＭＳ、ＮＥの隣接関係リスト配置能力を指定するためのレイヤ毎制御戦術テーブルに基づいて、ＮＭＳ、ＥＭＳ、ＮＥが順に、前記隣接セル配置情報を分析処理し、前記セルの隣接関係リストを調節することを含む。
2013539628.tif 000002
【特許請求の範囲】
【請求項１】
現在セルの隣接セル配置情報をリアルタイムで取得し、
予め配置した又はデフォルト配置した所定のネットワーク管理システム（ＮＭＳ）、ネットワーク要素管理システム（ＥＭＳ）、ネットワーク要素（ＮＥ）の隣接関係リスト配置能力を指定するためのレイヤ毎制御戦術テーブルに基づいて、ＮＭＳ、ＥＭＳ、ＮＥが順に、前記隣接セル配置情報を分析処理し、前記セルの隣接関係リストを調節することを含むことを特徴とするセル間隣接関係管理方法。
【請求項２】
前記現在セルの隣接セル配置情報を取得することは、
前記ＮＥが、自分の管轄している領域内の一つ又は複数のＵＥによって前記セルの隣接セル配置情報を検出して取得することを含むことを特徴とする請求項１に記載のセル間隣接関係管理方法。
【請求項３】
ＮＭＳ、ＥＭＳ、ＮＥが、取得した隣接セル配置情報を分析処理して前記セルの隣接関係リストを調節することは、
隣接関係配置管理条件を示す隣接関係管理パラメータが配置されている場合、前記レイヤ毎制御戦術テーブル及び予め配置した隣接関係管理パラメータに基づいて、前記ＮＥ、ＥＭＳ、ＮＭＳが順に、前記隣接セル配置情報を分析処理して前記セルの隣接関係リストを調節し、
前記隣接関係管理パラメータが配置されていない場合、前記レイヤ毎制御戦術テーブルに基づいて、前記ＮＥ、ＥＭＳ、ＮＭＳが順に前記隣接セル配置情報を分析処理して前記セルの隣接関係リストを調節することを含むことを特徴とする請求項１に記載のセル間隣接関係管理方法。
【請求項４】
前記レイヤ毎制御戦術テーブルは、ＮＥの管轄領域内の隣接関係リスト配置戦術と、ＥＭＳの管轄領域内の隣接関係リスト配置戦術と、ＥＭＳ間の領域内の隣接関係リスト配置戦術とを含み、それぞれ、所定のＮＭＳ、ＥＭＳ、ＮＥのＮＥの管轄領域、ＥＭＳの管轄領域、ＥＭＳ間の領域での隣接関係リスト配置能力を指定し、
前記ＮＭＳ、ＥＭＳ、ＮＥが、取得した隣接セル配置情報を分析処理して前記セルの隣接関係リストを調節することは、
前記隣接関係管理パラメータが配置されている場合、前記ＮＥ、ＥＭＳ、ＮＭＳが順に、自分に配置されたレイヤ毎制御戦術及び隣接関係管理パラメータに基づいて、前記隣接セル配置情報を分析処理して、前記セルのＮＥの管轄領域内の隣接セル及び/又はＥＭＳの管轄領域内の隣接セル及び/又はＥＭＳ間の領域内の隣接セルを確定し、各自記憶している隣接関係リストにおける前記セルのＮＥの管轄領域内の隣接情報及び/又はＥＭＳの管轄領域内の隣接情報及び/又はＥＭＳ間の領域内の隣接情報を調節し、
前記隣接関係管理パラメータが配置されていない場合、前記ＮＥ、ＥＭＳ、ＮＭＳが順に、自分に配置されたレイヤ毎制御戦術に基づいて、前記隣接セル配置情報を分析処理して、前記セルのＮＥの管轄領域内の隣接セル及び/又はＥＭＳの管轄領域内の隣接セル及び/又はＥＭＳ間の領域内の隣接セルを確定し、各自記憶している隣接関係リストにおける前記セルのＮＥの管轄領域内の隣接情報及び/又はＥＭＳ管轄領域内の隣接情報及び/又はＥＭＳ間の領域内の隣接情報を調節することを含むことを特徴とする請求項１乃至３の中のいずれかに記載のセル間隣接関係管理方法。
【請求項５】
前記ＮＭＳが前記隣接関係リストを調節した後、さらに、
前記ＮＭＳが自分が調節して得た隣接関係リストを前記ＥＭＳに送信し、前記ＥＭＳがさらに前記ＮＭＳから送信された隣接関係リストを前記ＮＥに送信して配置の有効化を要求し、
前記ＮＥが前記隣接セル関係リストを受信した後、最終的に有効になった隣接セル関係リストを前記ＥＭＳに送信し、前記ＥＭＳがさらに前記最終的に有効になった隣接セル関係リストを前記ＮＭＳに送信することをさらに含むことを特徴とする請求項４に記載のセル間隣接関係管理方法。
【請求項６】
静態的に配置する方式で、前記レイヤ毎制御戦術テーブルを前記ＮＭＳ及び/又はＥＭＳ及び/又はＮＥに予め配置することを特徴とする請求項４に記載のセル間隣接関係管理方法。
【請求項７】
静態的に配置する方式で、前記隣接関係管理パラメータを前記ＮＭＳ及び/又はＥＭＳ及び/又はＮＥに予め配置することを特徴とする請求項４に記載のセル間隣接関係管理方法。
【請求項８】
現在セルの隣接セル配置情報をリアルタイムで取得する取得ユニットと、
予め配置した又はデフォルト配置した所定のＮＭＳ、ＥＭＳ、ＮＥの隣接関係リスト配置能力を指定するためのレイヤ毎制御戦術テーブルに基づいて、前記取得ユニットが取得した隣接セル配置情報を分析処理して前記セルの隣接関係リストを調節する一つ又は複数の調節ユニットと、を含むことを特徴とするセル間隣接関係管理装置。
【請求項９】
前記取得ユニットがＮＥに配置されることを特徴とする請求項８に記載のセル間隣接関係管理装置。
【請求項１０】
前記一つ又は複数の調節ユニットが、予め配置したレイヤ毎制御戦術に基づいて、それぞれ、ＮＭＳ及び/又はＥＭＳ及び/又はＮＥに配置されることを特徴とする請求項８に記載のセル間隣接関係管理装置。
【請求項１１】
前記調節ユニットは、さらに、
隣接関係配置管理条件を示す隣接関係管理パラメータが配置されている場合、前記レイヤ毎制御戦術テーブル及び予め配置した隣接関係管理パラメータに基づいて、前記隣接セル配置情報を分析処理して、前記セルの隣接関係リストを調節し、
前記隣接関係管理パラメータが配置されていない場合、前記レイヤ毎制御戦術テーブルに基づいて、前記隣接セル配置情報を分析処理して、前記セルの隣接関係リストを調節することを特徴とする請求項８乃至１０の中のいずれかに記載のセル間隣接関係管理装置。
【請求項１２】
前記ＮＭＳ上に配置された調節ユニットは、さらに、
前記隣接関係リストの調節を完成した後、前記ＥＭＳがさらに前記隣接関係リストをＮＥに送信して配置の有効化を要求するように、自分が調節して得た隣接関係リストをＥＭＳに送信し、
ＮＥ上に配置された調節ユニットは、さらに、
前記ＮＭＳの調節ユニットから送信された隣接関係リストを受信し、前記ＥＭＳが前記最終的に有効になった隣接関係リストを前記ＮＭＳに送信するように、最終的に有効になった隣接関係リストを上層ＥＭＳに送信することを特徴とする請求項８乃至１０の中のいずれかに記載のセル間隣接関係管理装置。
【発明の詳細な説明】
【技術分野】
【０００１】
本発明は、移動通信システムにおける隣接関係の管理技術に関し、具体的に、セル間隣接関係の管理方法及び装置に関するものである。
【背景技術】
【０００２】
移動通信ネットワークにおいて、通常、レイヤに分けて管理する方式で各ネットワーク要素（ＮＥ、Network  Element）機器を管理している。具体的に、移動通信ネットワークには、ネットワーク管理システム（ＮＭＳ、Network  Management  System）とネットワーク要素管理システム（ＥＭＳ、Element  Management  System）等の異なるレイヤの管理システムが含まれ、その中、ＥＭＳは、主にネットワーク要素管理レイヤ（ＥＭＬ、Element  Management  Layer）の機能を完成し、一つ又は複数の同一の機器仕入先からの、異なるタイプのネットワークのＮＥを管理し、ＮＭＳは、主にネットワーク管理レイヤ（ＮＭＬ、Element  Management  Layer）の機能を完成し、管理しているネットワーク内の全てのＮＥを管理する。実際の応用において、ＮＭＳは、自体とＥＭＳとの間のノースバウンド・インターフェース（Ｉｔｆ−Ｎ）を介してＥＭＳと通信し、異なる製造者による機器及びその関連機能を管理する目的を実現する。
【０００３】
移動通信ネットワークにおいて、ユーザにとって見れば、最も直観的なサービス対象提供者はＵＥであり、ＵＥがＮＥと直接やり取りしてユーザに通話、データ処理等のさまざまなサービスを提供する。通常、各ＮＥが複数のセルを管轄していて、各セルがＵＥにサービスを提供し、各セルのカバー範囲が限られていて、ＵＥの動作がそれの位置されたセルに依存する。通常、移動中において、ＵＥは、現在サービングセルの隣接セル配置状況に基づいて、ハンドオーバータイミング及びハンドオーバーするターゲットセルを選択しなければならない。その中、ハンドオーバーするターゲットセルと現在サービングセルを、同一のＮＥが管轄している可能性が存在してもよく、異なるＮＥが管轄している可能性も存在してもよく、さらに、異なる移動通信システムが管理している可能性も存在し、移動通信システムにおける各セルの隣接セルの配置が適切ではなく、漏れひいては誤りがあると、ＵＥのサービス品質を低下させ、さらにサービスを中断させることもあるので、隣接セルの配置及び最適化はネットワークを保護するにおいて重要なことである。
【０００４】
現在、ＵＭＴＳ陸上無線アクセス（ＵＴＲＡＮ、UMTS  Terrestrial  Radio  Access  Network）ネットワークにおいて、ネットワーク構築初期において、その企画状況に基づいて、人為的に配置する方式でＥＭＳにセル及びその隣接セルリストを配置してＮＥに送信し、ネットワーク運行中は、ネットワーク運行データを定期的に収集及び分析し、ＥＭＳレイヤにおいて、人為的にセルの隣接セルの配置を調節し、ＮＥに、それが管轄しているセルの隣接セル配置を更新したことを通知し、保護中に、管理人が、ハンドオーバーに関連する指標に基づいて、且つデータ配置状況を結合して、隣接セルの配置が正確であるか否かを判定する。
【０００５】
上記のような隣接セルリストの配置方法によると、ＮＥは自分のセルの隣接関係を管理できる能力を具備せず、現在のセルの配置情報に基づいて、現在に適切する隣接セルリストをリアルタイムで更新又は生成することができないので、前記隣接リストの正確性を保証できない。また、ＮＥとの間の隣接関係、及びＥＭＳ間の隣接関係の管理は、いずれもＮＥ間の協議又はＥＭＳ間の協議を経てからこそ実現可能であり、このためにリンク及びやり取りメッセージの数量が大量に増加し、移動通信システムの通信負荷が増加してしまい、また、上記の配置方法によると、ネットワーク全体の性能測定データ、配置データを収集してから人為的な分析及び比較を行って、最適化された調節結果が得られるので、長い時間がかかり、且つセル配置情報の変更に応じて即時にその隣接関係を更新及び調節することができない。
【発明の概要】
【発明が解決しようとする課題】
【０００６】
本発明は、移動通信システムにおけるセル間隣接関係を自動管理できるセル間隣接関係管理方法及び装置を提供することをその目的とする。
【課題を解決するための手段】
【０００７】
上記目的を実現するため、本発明は以下のように実現される。
【０００８】
現在セルの隣接セル配置情報をリアルタイムで取得し、予め配置した又はデフォルト配置した所定のＮＭＳ、ＥＭＳ、ＮＥの隣接関係リスト配置能力を指定するためのレイヤ毎制御戦術テーブルに基づいて、ＮＭＳ、ＥＭＳ、ＮＥが順に、前記隣接セル配置情報を分析処理し、前記セルの隣接関係リストを調節することを含むセル間隣接関係管理方法を提供する。
【０００９】
前記現在セルの隣接セル配置情報を取得することは、前記ＮＥが、自分の管轄している領域内の一つ又は複数のＵＥによって前記セルの隣接セル配置情報を検出して取得することを含む。
【００１０】
ＮＭＳ、ＥＭＳ、ＮＥが取得した隣接セル配置情報を分析処理して前記セルの隣接関係リストを調節することは、隣接関係配置管理条件を示す隣接関係管理パラメータが配置されている場合、前記レイヤ毎制御戦術テーブル及び予め配置した隣接関係管理パラメータに基づいて、前記ＮＥ、ＥＭＳ、ＮＭＳが順に、前記隣接セル配置情報を分析処理して前記セルの隣接関係リストを調節し、前記隣接関係管理パラメータが配置されていない場合、前記レイヤ毎制御戦術テーブルに基づいて、前記ＮＥ、ＥＭＳ、ＮＭＳが順に前記隣接セル配置情報を分析処理して前記セルの隣接関係リストを調節することを含む。
【００１１】
上記方案において、前記レイヤ毎制御戦術テーブルは、ＮＥの管轄領域内の隣接関係リスト配置戦術と、ＥＭＳの管轄領域内の隣接関係リスト配置戦術と、ＥＭＳ間の領域内の隣接関係リスト配置戦術とを含み、それぞれ、所定のＮＭＳ、ＥＭＳ、ＮＥのＮＥの管轄領域、ＥＭＳの管轄領域、ＥＭＳ間の領域での隣接関係リスト配置能力を指定し、
上記方案において、前記ＮＭＳ、ＥＭＳ、ＮＥが、取得した隣接セル配置情報を分析処理して前記セルの隣接関係リストを調節することは、前記隣接関係管理パラメータが配置されている場合、前記ＮＥ、ＥＭＳ、ＮＭＳが順に、自分に配置されたレイヤ毎制御戦術及び隣接関係管理パラメータに基づいて、前記隣接セル配置情報を分析処理して前記セルのＮＥの管轄領域内の隣接セル及び/又はＥＭＳの管轄領域内の隣接セル及び/又はＥＭＳ間の領域内の隣接セルを確定し、各自記憶している隣接関係リストにおける前記セルのＮＥの管轄領域内の隣接情報及び/又はＥＭＳの管轄領域内の隣接情報及び/又はＥＭＳ間の領域内の隣接情報を調節し、前記隣接関係管理パラメータが配置されていない場合、前記ＮＥ、ＥＭＳ、ＮＭＳが順に、自分に配置されたレイヤ毎制御戦術に基づいて、前記隣接セル配置情報を分析処理して、前記セルのＮＥの管轄領域内の隣接セル及び/又はＥＭＳの管轄領域内の隣接セル及び/又はＥＭＳ間の領域内の隣接セルを確定し、各自記憶している隣接関係リストにおける前記セルのＮＥの管轄領域内の隣接情報及び/又はＥＭＳ管轄領域内の隣接情報及び/又はＥＭＳ間の領域内の隣接情報を調節することを含む。
【００１２】
上記方案において、前記ＮＭＳが前記隣接関係リストを調節した後、さらに、前記方法は、前記ＮＭＳが自分が調節して得た隣接関係リストを前記ＥＭＳに送信し、前記ＥＭＳがさらに前記ＮＭＳから送信された隣接関係リストを前記ＮＥに送信して配置の有効化を要求し、
前記ＮＥが前記隣接セル関係リストを受信した後、最終的に有効になった隣接セル関係リストを前記ＥＭＳに送信し、前記ＥＭＳがさらに前記最終的に有効になった隣接セル関係リストを前記ＮＭＳに送信することをさらに含む。
【００１３】
上記方案において、静態的に配置する方式で、前記レイヤ毎制御戦術テーブルを前記ＮＭＳ及び/又はＥＭＳ及び/又はＮＥに予め配置する。
【００１４】
上記方案において、静態的に配置する方式で、前記隣接関係管理パラメータを前記ＮＭＳ及び/又はＥＭＳ及び/又はＮＥに予め配置する。
【００１５】
本発明によると、現在セルの隣接セル配置情報をリアルタイムで取得する取得ユニットと、
予め配置した又はデフォルト配置した所定のＮＭＳ、ＥＭＳ、ＮＥの隣接関係リスト配置能力を指定するためのレイヤ毎制御戦術テーブルに基づいて、前記取得ユニットが取得した隣接セル配置情報を分析処理して前記セルの隣接関係リストを調節する一つ又は複数の調節ユニットと、を含むセル間隣接関係管理装置を提供する。
【００１６】
上記方案において、前記取得ユニットはＮＥに配置される。
【００１７】
上記方案において、前記一つ又は複数の調節ユニットは、予め配置したレイヤ毎制御戦術に基づいて、それぞれ、ＮＭＳ及び/又はＥＭＳ及び/又はＮＥに配置される。
【００１８】
上記方案において、前記調節ユニットは、さらに、隣接関係配置管理条件を示す隣接関係管理パラメータが配置されている場合、前記レイヤ毎制御戦術テーブル及び予め配置した隣接関係管理パラメータに基づいて、前記隣接セル配置情報を分析処理して、前記セルの隣接関係リストを調節し、前記隣接関係管理パラメータが配置されていない場合、前記レイヤ毎制御戦術テーブルに基づいて、順に前記隣接セル配置情報を分析処理して、前記セルの隣接関係リストを調節する。
【００１９】
上記方案において、前記ＮＭＳ上に配置された調節ユニットは、さらに、前記隣接関係リストの調節を完成した後、前記ＥＭＳがさらに前記隣接関係リストをＮＥに送信して配置の有効化を要求するように、自分が調節して得た隣接関係リストをＥＭＳに送信し、ＮＥ上に配置された調節ユニットは、さらに、前記ＮＭＳの調節ユニットから送信された隣接関係リストを受信し、前記ＥＭＳが前記最終的に有効になった隣接関係リストを前記ＮＭＳに送信するように、最終的に有効になった隣接関係リストを上層ＥＭＳに送信する。
【発明の効果】
【００２０】
本発明のセル間隣接関係管理方法によると、セルの隣接セル配置情報をリアルタイムで取得し、さらに、予め配置したレイヤ毎制御戦術テーブルに基づいて、ＮＭＳ、ＥＭＳ、ＮＥが、取得した隣接セル配置情報を分析処理して、前記セルの隣接関係リストを調節することによって、セルの隣接セル配置情報を自動的に検出して取得することができ、ＮＥの管轄領域、ＥＭＳの管轄領域及びＥＭＳ間の領域での隣接関係の自動管理を実現し、レイヤ毎に処理する方法によって、メッセージのやり取り及び伝送コストが低く、ボトルネックを有効に避けることができ、特に、ネットワークの負荷が重い時に、ネットワーク全体の処理能力を充分に掘り出すことができ、処理効率が向上する一方、リアルタイム性に優れている。
【図面の簡単な説明】
【００２１】
【図１】本発明に係わるセル間隣接関係管理方法を示すフローチャートである。
【図２】移動通信ネットワークの構造を示す図である。
【図３】本発明に係わる実施例１のフローチャートである。
【図４】本発明に係わる実施例２のフローチャートである。
【図５】本発明に係わる実施例３のフローチャートである。
【発明を実施するための形態】
【００２２】
本発明の基本思想は、ＵＴＲＡＮネットワークにおいて、ＮＭＳ、ＥＭＳ、ＮＥの３レイヤが協力して移動通信システムにおけるセルの隣接関係を自動管理することである。
【００２３】
本発明によるセル間隣接関係を管理する方法を、ＵＴＲＡＮネットワークに応用することができ、図１に示すように、以下のステップを含む。
【００２４】
現在セルの隣接セル配置情報をリアルタイムで取得する（ステップ１０１）。
【００２５】
具体的に、ＮＥによって、又は前記隣接セル配置情報を取得できる機器をＮＥに設けることによって、当該取得フローを完成することができる。
【００２６】
取得した隣接セル配置情報は、隣接セルのＩＤ、所属するＮＥの識別子、ネットワークタイプ番号等の当該隣接セルを唯一に識別できる情報、又は前記隣接セルを測位できる測位情報を含むことができる。
【００２７】
その中、ＮＥは、自分に所属するセル内のＵＥを介してセルの隣接セル配置情報を取得することができる。具体的に、収集する具体的方式がＮＥによって決められ、ＮＥは、自分の管轄している領域内に予め設定した検出条件を満たすＵＥが存在するか否かをリアルタイムで検出し、存在すると、前記検出条件を満たすＵＥの中のいずれか一つ又は複数に測定ジョブを与え、所定のセルの隣接セル配置情報を検出するようにＵＥに要求し、ＵＥは前記セルの隣接セル配置情報が検出されたら前記ＮＥに報知し、そうではないと、ＮＥは前記測定ジョブを与えない。その中、所定のセルの隣接セルは、現在のＮＥの管轄領域内の隣接セル、現在のＥＭＳの管轄領域内の隣接セル及びＥＭＳ間の領域内の隣接セルを含むことができる。
【００２８】
その中、予め設定した検出条件は、具体的に予め設定した検出閾値であることができ、ＵＥの現在の処理量が設定した検出閾値未満であると、前記ＵＥは、前記検出条件を満たし、そうではないと、前記ＵＥは前記検出条件を満たさない。また、選択するＵＥの数量の上限を予め設定し、測定を行うためのＵＥをＮＥが選択する際、選択したＵＥの数量は当該上限値を超えない。
【００２９】
ＮＭＳ、ＥＭＳ、ＮＥは、予め配置した又はデフォルト配置した所定のＮＭＳ、ＥＭＳ、ＮＥの隣接関係リスト配置能力を指定するためのレイヤ毎制御戦術テーブルに基づいて、順に前記隣接セル配置情報を分析処理して、前記セルの隣接関係リストを調節する（ステップ１０２）。
【００３０】
ここで、前記レイヤ毎制御戦術テーブルは、所定のＮＭＳ、ＥＭＳ、ＮＥの隣接関係リスト配置能力を指定するためのもので、ＮＥの管轄領域内の隣接関係リスト配置戦術と、ＥＭＳの管轄領域内の隣接関係リスト配置戦術と、ＥＭＳ間の領域の隣接関係リスト配置戦術とを含み、それぞれ、所定のＮＭＳ、ＥＭＳ、ＮＥのＮＥ管轄領域での、ＥＭＳ管轄領域での、ＥＭＳ間の領域での隣接関係リスト配置能力を指定する。
【００３１】
通常、ＮＭＳ、ＥＭＳ、ＮＥが支援可能な隣接関係リスト配置能力は表１に示すとおりで、実際の応用において、レイヤ毎制御戦術テーブルをデフォルト配置することもできる。
【００３２】
【表１】
2013539628.tif 000003
【００３３】
その中、レイヤ毎制御戦術を静態的に配置する方式でＮＭＳ及び/又はＥＭＳに配置し、ＥＭＳによりＮＥに送信し、ＮＭＳ、ＥＭＳ、ＮＥにてそれぞれ記憶することができる。具体的に、ＮＭＳに配置すると、ＮＭＳによりＥＭＳに送信し、ＥＭＳによりさらにＮＥに送信し、ＮＭＳ、ＥＭＳ、ＮＥにてそれぞれ記憶する。ＥＭＳに配置すると、ＥＭＳが前記レイヤ毎制御戦術をＮＭＳに報知し、またＮＥに送信し、ＮＭＳ、ＥＭＳ、ＮＥにてそれぞれ記憶する。ＮＭＳとＥＭＳに同時に配置し記憶していると、ＥＭＳによりＮＥに送信し、ＮＥがレイヤ毎制御戦術を記憶する。
【００３４】
ここで、ＮＭＳ、ＥＭＳ、ＮＥに記憶されるレイヤ毎制御戦術は異なることができ、例えば、ＮＭＳ、ＥＭＳ、ＮＥの移動通信システムの管理範囲に応じて、ＮＭＳにＮＥの管轄領域内の隣接関係リスト配置戦術と、ＥＭＳの管轄領域内の隣接関係リスト配置戦術と、ＥＭＳ間の領域内の隣接関係リスト配置戦術を記憶し、ＥＭＳにＮＥの管轄領域内の隣接関係リスト配置戦術と、ＥＭＳの管轄領域内の隣接関係リスト配置戦術を記憶し、ＮＥにＮＥの管轄領域内の隣接関係リスト配置戦術のみを記憶することができる。
【００３５】
また、レイヤ毎制御戦術の変更を静態的に配置する方式で実現することができれば、ＮＥ又はＥＭＳが報知した情報に基づいてリアルタイムで修正することもできる。
【００３６】
具体的に、ＮＥが現在支援している隣接関係リスト配置能力が変更されると、例えば、ＮＥによる元の支援から支援不能に変更されると、又は元の支援不能から支援に変更されると、まず、ＮＥは自分が記憶しているレイヤ毎制御戦術を更新してＥＭＳに報知し、又は前記ＥＭＳに自分の変更情報のみを報知し、ＥＭＳはＮＥが報知したレイヤ毎制御戦術又は変更情報に基づいて、自分が記憶しているレイヤ毎制御戦術を更新し、即ち、自分が記憶しているレイヤ毎制御戦術における前記ＮＥの戦術を変更し（例えば、ＮＥに対応する支援を支援不能に、又は支援不能を支援に変更する）、また、ＥＭＳは、更新して得たレイヤ毎制御戦術又は前記ＮＥの変更情報をＮＭＳに報知し、ＮＭＳはＥＭＳが報知したレイヤ毎制御戦術又は前記ＮＥの変更情報に基づいて、自分が記憶しているレイヤ毎制御戦術を更新するフローに従ってレイヤ毎制御戦術の修正を行い、具体的な更新フローはＥＭＳによるレイヤ毎制御戦術の更新フローに類似する。
【００３７】
具体的に、隣接関係管理パラメータが配置されていると、ステップ１０２において、取得した隣接セル配置情報を分析処理し、前記セルの隣接関係リストを調節するステップが、前記ＮＥが前記隣接セル配置情報を取得した後、前記レイヤ毎制御戦術テーブル及び予め配置した隣接関係管理パラメータに従って、前記ＮＥ、ＥＭＳ、ＮＭＳが順に前記隣接セル配置情報を分析処理して、前記セルの隣接関係リストを調節するステップを含むことができる。
【００３８】
ここで、前記隣接関係管理パラメータは、隣接関係配置の管理条件を示すもので、例えば、隣接関係管理パラメータは、所定のセルへのハンドオーバーを許可しないことを示すパラメータ、及び/又は所定の隣接関係を削除してはいけないことを示すパラメータ等を含む。ここで、隣接関係管理パラメータの配置は選択可能であり、具体的に実際の応用の需要に応じて配置するか否かを決める。
【００３９】
例えば、配置する隣接関係管理パラメータは、具体的に、ハンドオーバー禁止の所定のセルリスト、削除禁止の所定の隣接関係のリスト、隣接情報追加条件閾値、隣接情報削除条件閾値を含む。その中、ハンドオーバー禁止の所定のセルリストが、ハンドオーバーを許可しない所定のセルに関する情報を含むことができ、削除禁止の所定の隣接関係のリストが、削除を許可しない所定の隣接情報を含むことができ、これによって、合理的に企画した隣接情報が一時的にサービスがない時に誤って削除されることを避けることができる。
【００４０】
隣接情報追加条件閾値は、ＮＥとＥＭＳに異なる閾値を設定することができ、例えば、隣接情報追加条件閾値が、一定の周期内においてＵＥが一つのセルを検出して報知する回数が特定の頻度を超えているか否かであることができる。
【００４１】
隣接関係削除条件閾値は、ＮＥとＥＭＳに異なる閾値を設定することができる。例えば、ＮＥでの隣接関係削除条件閾値が、一定の周期内においてＵＥが一つのセルの隣接セルを検出して報知する回数が０より低いであって、ＥＭＳでの隣接関係削除条件閾値が、一定の周期内において一つの隣接関係のハンドオーバー回数が設定した閾値未満であることができる。
【００４２】
具体的に、隣接関係管理パラメータを配置する方式は、上記レイヤ毎制御戦術テーブルを配置する方式と同じであることができる。ここで、静態的に配置する方式で隣接関係管理パラメータをＮＭＳ又はＥＭＳに配置し、ＥＭＳにより隣接関係管理パラメータをＮＥに送信し、ＮＭＳ、ＥＭＳ、ＮＥにそれぞれ前記隣接関係管理パラメータを記憶することができる。
【００４３】
ここで、記憶したレイヤ毎制御戦術に応じて、各レイヤが記憶する隣接関係管理パラメータを増減することができる。例えば、ＮＥの場合、ＮＥの管轄領域内の隣接関係リストの配置のみをＮＥが支援できると、ＮＥにてＮＥの管轄領域内のレイヤ毎制御戦術及びＮＥの管轄領域に関連する隣接関係管理パラメータのみを記憶すればよい。
【００４４】
具体的に、前記ＮＥ、ＥＭＳ、ＮＭＳが順に前記隣接セル配置情報を分析処理して、前記セルの隣接関係リストを調節するステップは、前記隣接関係管理パラメータが配置されていると、前記ＮＥ、ＥＭＳ、ＮＭＳは、順に自分に配置されたレイヤ毎制御戦術及び隣接関係管理パラメータに基づいて、前記隣接セル配置情報を分析処理し、前記セルのＮＥの管轄領域内の隣接セル及び/又はＥＭＳの管轄領域内の隣接セル及び/又はＥＭＳ間の領域内の隣接セルを確定し、それぞれ記憶した隣接関係リストにおける前記セルのＮＥの管轄領域内の隣接情報及び/又はＥＭＳの管轄領域内の隣接情報及び/又はＥＭＳ間の領域内の隣接情報を調節し、
前記隣接関係管理パラメータが配置されないと、前記ＮＥ、ＥＭＳ、ＮＭＳは順に、自分に配置されたレイヤ毎制御戦術に基づいて、前記隣接セル配置情報を分析処理し、前記セルのＮＥの管轄領域内の隣接セル及び/又はＥＭＳの管轄領域内の隣接セル及び/又はＥＭＳ間の領域内の隣接セルを確定し、それぞれ記憶した隣接関係リストにおける前記セルのＮＥの管轄領域内の隣接情報及び/又はＥＭＳの管轄領域内の隣接情報及び/又はＥＭＳ間の領域内の隣接情報を調節するステップを含む。
【００４５】
ここで、前記ＮＥが、取得した隣接セル配置情報に基づいて、前記セルのＮＥの管轄領域内の隣接セルを確定する方法は、複数のＵＥが検出して報知した前記セルの頻度の統計、又はＵＥが報知した測定レポートを分析する方法を取ることができ、具体的には、関連する技術によって実現でき、ここでは説明を省略する。ＥＭＳとＮＭＳも関連技術に従って前記セルのＮＥの管轄領域、ＥＭＳの管轄領域又はＥＭＳ間の領域での隣接セルを確定することができる。
【００４６】
また、前記セルの隣接関係リストに、前記セルと、確定されたＮＥの管轄領域及び/又はＥＭＳの管轄領域及び/又はＥＭＳ間の領域の隣接セルとの間の隣接情報が既に配置されたか否かを検出し、ＹＥＳであると、前記ＮＥの隣接関係リストを調節する必要はなく、そうではないと、前記セルの隣接関係リストに、前記セルと、確定されたＮＥの管轄領域内及び/又はＥＭＳの管轄領域内及び/又はＥＭＳ間の領域内の隣接セルとの間の隣接情報を追加、削除又は修正する方法によって、前記隣接関係リストにおける前記セルのＮＥの管轄領域内の隣接情報及び/又はＥＭＳの管轄領域内の隣接情報及び/又はＥＭＳ間の領域内の隣接情報を調節することができる。
【００４７】
また、隣接関係管理パラメータが予め配置されていると、前記セルの隣接関係リストに、前記セルと、確定されたＮＥの管轄領域内の隣接セルとの間の隣接情報を追加、削除又は修正するステップは、具体的に、調節しようとする隣接情報が予め配置した隣接関係管理パラメータの要求を満たすか否かを判定し、ＹＥＳであると、前記隣接関係リストに前記隣接情報を追加、削除又は修正し、そうではないと、前記隣接情報の追加、削除又は修正を行わない。
【００４８】
また、前記セルの隣接関係リストがすでにいっぱい配置されていると、前記隣接情報を追加する際、予め設定した隣接情報調節アルゴリズムに従って、予め配置した隣接関係管理パラメータを結合して、前記隣接関係リストにおける一部の隣接情報を削除した後、追加しようとする隣接情報を前記隣接関係リストに追加することができる。その中、前記隣接情報調節アルゴリズムを、ＮＥ又はＥＭＳ又はＮＭＳによって決めることができる。
【００４９】
また、ＥＭＳは、隣接関係リストの調節中に、クエリできるように、同時に隣接関係処理のジャーナルを作成する。
【００５０】
ここで、上級の隣接関係調節と下級の調節が衝突する場合、隣接セル管理パラメータを満たすことを前提に、最後に更新された隣接関係リストを基準とする。
【００５１】
その中、前記ＮＭＳが前記隣接関係リストの調節を完成した後、上記方法は、さらに、前記ＮＭＳが自分が調節して得た隣接関係リストをＥＭＳに送信し、ＥＭＳが前記ＮＭＳから送信された隣接関係リストをさらにＮＥに送信して、配置の有効化を要求し、ＮＥは、前記隣接セル関係リストを受信した後、最終的に有効になった隣接セル関係リストをＥＭＳに送信し、ＥＭＳは、さらに前記最終的に有効になった隣接セル関係リストをＮＭＳに送信するステップを含む。
【００５２】
また、上記の方法によると、ＮＥ、ＥＭＳ、ＮＭＳが協力して移動ネットワーク全体における全てのセル間の隣接関係の自動発現及び調節を実現することができる。
【００５３】
上記方法を実現するため、本発明によると、セル間隣接関係を管理する装置を提供する。前記装置は、現在セルの隣接セル配置情報をリアルタイムで取得する取得ユニットと、予め配置した又はデフォルト配置した所定のＮＭＳ、ＥＭＳ、ＮＥの隣接関係リスト配置能力を指定するためのレイヤ毎制御戦術テーブルに基づいて、前記取得ユニットが取得した隣接セル配置情報を分析処理して前記セルの隣接関係リストを調節する一つ又は複数の調節ユニットと、を含む。
【００５４】
その中、前記取得ユニットがネットワーク要素に配置され、前記一つ又は複数の調節ユニットがそれぞれＮＭＳ、ＥＭＳ、ＮＥに配置される。
【００５５】
具体的に、予め配置したレイヤ毎制御戦術に基づいて、ＮＭＳ、ＥＭＳ、ＮＥにそれぞれ前記調節ユニットを配置でき、実際の応用において、前記調節ユニットは、前記隣接関係管理パラメータが配置された場合、前記レイヤ毎制御戦術テーブルと予め配置された隣接関係管理パラメータに基づいて、前記隣接セル配置情報を分析処理して前記セルの隣接関係リストを調節し、前記隣接関係管理パラメータが配置されていない場合、前記レイヤ毎制御戦術テーブルに基づいて、前記隣接セル配置情報を分析処理して前記セルの隣接関係リストを調節する。
【００５６】
その中、前記ＮＭＳに配置される調節ユニットは、前記隣接関係リストの調節を完成した後、ＥＭＳが前記隣接関係リストをＮＥに送信して配置の有効化を要求するように、自分が調節して得た隣接関係リストをＥＭＳに送信する。ＮＥに配置された調節ユニットは、前記ＮＭＳの調節ユニットから送信された隣接関係リストを受信した後、ＥＭＳが最終的に有効になった隣接関係リストを前記ＮＭＳに送信するように、最終的に有効になった隣接関係リストをＥＭＳに送信する。
【００５７】
例えば、図２に示す移動通信ネットワークは、ＮＭＳ＿１、ＥＭＳ＿１、ＥＭＳ＿２、ＮＥ＿１、ＮＥ＿２を含み、その中、ＮＭＳ＿１がＥＭＳ＿１、ＥＭＳ＿２を、ＥＭＳ＿１がＮＥ＿１、ＮＥ＿２を管理し、ＮＭＳ＿１、ＥＭＳ＿１、ＥＭＳ＿２、ＮＥ＿１、ＮＥ＿２の中のいずれか一つ又は複数に対応する調節ユニットを配置することができ、ＮＥ＿１とＮＥ＿２に上記取得ユニットを配置することができ、その中、ＮＭＳ＿１、ＥＭＳ＿１、ＥＭＳ＿２、ＮＥ＿１、ＮＥ＿２にいずれも隣接関係管理パラメータを記憶している。
【００５８】
実施例１
本実施例において、移動通信システムにおけるセル間隣接セル関係を管理するフローは以下のステップを含む。
【００５９】
ＮＭＳ、ＥＭＳ、ＮＥにおいて、レイヤ毎制御戦術のデフォルト配置を利用し（ステップ３０１）、具体的に表２に示すように、その中、ＮＥがセルのＮＥの管轄領域内の隣接関係リストの配置を支援し、ＥＭＳがセルのＥＭＳの管轄領域内の隣接関係リストの配置のみを支援し、ＮＭＳがセルのＥＭＳの管轄領域内の隣接関係リストの配置とＥＭＳ間の領域の隣接関係リストの配置のみを支援する。
【００６０】
【表２】
2013539628.tif 000004
【００６１】
ＮＥに配置された取得ユニットが、セルの隣接セル配置情報を取得する（ステップ３０２）。
【００６２】
ＮＥは、まず、前記隣接セル配置情報における所属するＮＥの識別子が自分の識別子に一致しないと判定すると、前記隣接セル配置情報を直接ＥＭＳに送信し、ＥＭＳは、前記隣接セル配置情報を受信して前記隣接セル配置情報における所属するＮＥの識別子が自分が管轄しているＮＥの識別子に一致しないと判定すると、さらに前記隣接セル配置情報を直接ＮＭＳに送信し、ＮＭＳ上の調節ユニットが前記隣接セル配置情報を分析処理して前記セルのＥＭＳ間の領域内の隣接情報を調節し、ＮＭＳに記憶している前記セルの隣接関係リストを更新して、ｉｔｆ−Ｎにおける配置管理集積ポイント（ＣＭＩＲＰ、Configuration  Management  Interface  Reference  Point）のインターフェースを介してＥＭＳに、調節後のＥＭＳ間の領域内の隣接情報又は更新後の隣接セルリストを携帯した隣接関係調節コマンドを送信する（ステップ３０３）。
【００６３】
ＥＭＳは、ＮＭＳから送信された隣接関係調節コマンドを受信し、携帯された調節後のＥＭＳ間の領域内の隣接情報又は更新後の隣接セルリストに基づいて、ＥＭＳ上の調節ユニットは、ＥＭＳに記憶している前記セルの隣接関係リストを更新し、更新後にＮＥに前記隣接関係調節コマンドを送信する（ステップ３０４）。
【００６４】
ＮＥは、前記隣接関係調節コマンドを受信し、携帯された調節後のＥＭＳ間の領域内の隣接情報又は隣接セルリストに基づいて、ＮＥの調節ユニットは、ＮＥに記憶している前記セルの隣接関係リストを更新し、更新後に、最終的に有効になった隣接セルリストを携帯した応答をＥＭＳに返信する（ステップ３０５）。
【００６５】
ＥＭＳは、ＮＥからの応答を受信した後、最終的に有効になった隣接セルリストを得て、前記ＮＭＳに前記最終的に有効になった隣接セルリストを携帯した更新完成応答を返信し、前記セル隣接関係の自動発現及び調節を完成する（ステップ３０６）。
【００６６】
実施例２
本実施例において、移動通信システムにおけるセル間隣接セル関係を管理するフローは、図４に示すように、以下のステップを含む。
【００６７】
ステップ３０１と同じ処理を行う（ステップ４０１）。
【００６８】
ＮＥに配置された取得ユニットは、セルの隣接セル配置情報を取得する（ステップ４０２）。
【００６９】
ＮＥは、前記隣接セル配置情報における各セルの配置情報中の所属するＮＥの識別子が自分の識別子に一致すると判定すると、自分が記憶しているレイヤ毎制御戦術に基づいて、ＮＥ上の調節ユニットは、取得した隣接セル配置情報を分析処理し、予め配置した隣接関係管理パラメータに基づいて、前記セルのＮＥの管轄領域内の隣接情報を更新し、ＮＥに記憶している前記セルの隣接関係リストを更新し、ＥＭＳに、調節後のＮＥの管轄領域内の隣接情報又は更新後の隣接関係リストを携帯した隣接関係調節要求を送信する（ステップ４０３）。
【００７０】
ＥＭＳは、前記ＮＥから送信された隣接関係調節要求を受信し、ＥＭＳ上の調節ユニットは、ＥＭＳに記憶している隣接関係リストにおける前記セルのＮＥの管轄領域内の隣接情報を更新してＮＭＳに前記隣接関係調節要求を送信する（ステップ４０４）。
【００７１】
ＮＭＳは、ＥＭＳから送信された隣接関係調節要求を受信し、ＮＭＳ上の調節ユニットは、ＮＭＳに記憶している隣接関係リストにおける前記セルのＮＥの管轄領域内の隣接情報を更新し、更新を完成した後、ＥＭＳに、最終的に調節して得た隣接関係リストを携帯した応答を返信する（ステップ４０５）。
【００７２】
前記ＥＭＳは、ＮＭＳから返信された応答を受信し、前記ＮＥに送信し、前記ＮＥは前記ＥＭＳから返信された応答を受信し、携帯された隣接関係リストに基づいて、隣接関係リストの有効化操作を行って、最終的に有効になった隣接関係リストをＥＭＳに送信し、ＥＭＳは記憶すると共に当該隣接関係リストをＮＭＳに送信し、これで前記セル隣接関係の自動発現及び調節を完成する（ステップ４０６）。
【００７３】
実施例３
本実施例において、移動通信システムにおけるセル間隣接セル関係を管理するフローは、図５に示すように、以下のステップを含む。
【００７４】
表３に示す予め配置したレイヤ毎制御戦術を用いて（ステップ５０１）、ＮＥがＮＥの管轄領域内の隣接関係リストの配置を支援せず、ＥＭＳがＮＥの管轄領域及びＥＭＳの管轄領域内の隣接関係リストの配置を支援し、ＮＭＳがＥＭＳ間の領域内の隣接関係リストの配置のみを支援する。当該戦術は、通常、ネットワーク要素が隣接セル管理を支援しない時に利用される。
【００７５】
【表３】
2013539628.tif 000005
【００７６】
ＮＥに配置された取得ユニットは、セルの隣接セル配置情報を取得する（ステップ５０２）。
【００７７】
ＮＥは、自分が全ての隣接関係リストの配置を支援しないと判定し、取得した隣接セル配置情報を全部ＥＭＳに送信し、ＥＭＳは、前記隣接セル配置情報を受信して、前記隣接セル配置情報における各セルの所属するＮＥの識別子が自分が管轄しているＮＥの識別子と同じであると、ＥＭＳ上の調節ユニットは、前記隣接セル配置情報を分析処理し、予め配置した隣接関係管理パラメータに基づいて、前記セルのＮＥの管轄領域内の隣接情報及び/又はＥＭＳの管轄領域内の隣接情報を更新し、ＥＭＳに記憶している前記セルの隣接関係リストを更新し、ＮＭＳに、調節後の隣接情報又は更新後の隣接関係リストを携帯した隣接関係調節要求を送信する（ステップ５０３）。
【００７８】
ＮＭＳは、ＥＭＳから送信された隣接関係調節要求を受信し、自分が記憶している隣接関係リストにおける前記セルの対応する隣接情報を更新し、更新を完成した後、ＥＭＳに、有効化を要求する隣接関係リストを携帯した応答を返信する（ステップ５０４）。
【００７９】
ＥＭＳは、前記ＮＭＳから返信された応答をＮＥに送信し、ＮＥは前記ＥＭＳから送信された応答に基づいて、自分が記憶している隣接関係リストにおける前記セルの対応する隣接情報を更新し、隣接関係リストの有効化操作を行って、最終的に有効になった隣接関係リストをＥＭＳに送信し、ＥＭＳが、前記隣接関係リストを記憶すると共に、ＮＭＳに送信し、これで、前記セル隣接関係の自動発現及び調節を完成する（ステップ５０５）。
【００８０】
以上は、本発明の好適な実施例に過ぎず、本発明を限定するものではない。当業者であれば本発明に様々な修正や変形が可能である。本発明の精神や原則内の如何なる修正、置換、改良などは本発明の保護範囲内に含まれる。
【図１】
2013539628.tif 000006
【図２】
2013539628.tif 000007
【図３】
2013539628.tif 000008
【図４】
2013539628.tif 000009
【図５】
2013539628.tif 000010
【国際調査報告】
2013539628.tif 000011
2013539628.tif 000012
2013539628.tif 000013
2013539628.tif 000014